(57)【特許請求の範囲】
【請求項１】
空気を透過させて空気中の塵埃を取り除く空気清浄フィルタにおいて、帯電繊維からなる平板状不織布と波板状不織布とを耐水性を有する接着剤を用いて積層してハニカム状に形成されたハニカム集塵フィルタと、
このハニカム集塵フィルタにホットメルトタイプ接着剤を用いて結合された、少なくともプロアントシアニジンおよびクロロゲン酸を含むポリフェノールを担持した剛性のある樹脂製ネットからなることを特徴とする空気清浄フィルタ。
【請求項２】
ポリフェノールが、リンゴの未熟果から取られたポリフェノールであることを特徴とする請求項１記載の空気清浄フィルタ。
【請求項３】
吸気口より吸入した空気に所定の処理を施し排気口より排出する空気処理装置であって、吸気口と排気口を繋ぐ空気通路に請求項１あるいは請求項２記載の空気清浄フィルタが設置されたことを特徴とする空気処理装置。
【発明の詳細な説明】
【０００１】
【発明の属する技術分野】
本発明は、空気を透過させて空気中の塵埃を取り除く空気清浄フィルタおよびそれを用いた空気処理装置に関するものである。
【０００２】
【従来の技術】
例えば図６に示したように、空気清浄フィルタ１０を送風機２０が吸い込んで排気する空気２１の通路の一部、または全てに設置し、空気中の塵埃を除去すると共に、殺菌も行うようにした空気清浄化装置としての空気処理装置１００がある。
【０００３】
このような用途で使用される空気清浄フィルター１０の空気通過部分は、例えば図７に示したように、帯電繊維から作った不織布１１ａと、抗菌、抗ウイルス性（以下、合わせて抗菌性と云う）を有する図示しないグルコン酸クロルヘキシジンを添着した不織布１１ｂとを重ね合わせた二重不織布によって作った平板状不織布１１ｃと、同二重不織布によって作った波板状不織布１１ｄとを積層して表面積の大きいハニカム状に形成するなどして作成されている（厚さ：約５〜１０ｍｍ程度）。
【０００４】
したがって、送風機２０が吸い込み排気する空気は、空気清浄フィルタ１０の不織布１１ａ、１１ｂによって塵埃や油脂（蒸気）が濾し取られると共に、不織布の繊維の間を通過し得るほど微細な塵埃も、帯電繊維から作られた不織布１１ａがあるので、帯電し易い微細な塵埃はこの不織布１１ａにクーロン力によって引き付けられて除去される。そして、さらに不織布１１ｂに抗菌性を有するグルコン酸クロルヘキシジンが設けられているので、不織布１１ａ、１１ｂに濾し取られて付着している塵埃や油脂に細菌が付着しても増殖することがない。
【０００５】
【発明が解決しようとする課題】
しかし、上記構成の空気清浄フィルタを長期使用後は、一般的に破棄して新しいフィルタに交換していた。また、水洗して再生する場合も考えられるが、水溶性接着剤などの耐水性のない接着剤を用いて形成されているため、水洗により接着部が剥離する問題がある他に、フィルタ自身に剛性および強度が不足するため、取り扱い難く、水洗中に変形したり破壊して再使用に耐えないという問題があった。また、抗菌性を人工のグルコン酸クロルヘキシジンによって図っており、消費者の自然嗜好を満足するものではなかった。
本発明の第１の目的は、フィルタ自身に耐水性、剛性および強度を持たせて取り扱い易くし、水洗中に変形したり、あるいは剥離したり破壊しないようにするとともに、天然に産出する物質によって抗菌性を高めた空気清浄フィルタを提供することであり、本発明の第２の目的は、この空気清浄フィルタを用いた空気処理装置を提供することである。
【０００６】
【課題を解決するための手段】
上記従来技術の課題を解決するための具体的手段として、本発明の請求項１記載の空気清浄フィルタは、
空気を透過させて空気中の塵埃を取り除く空気清浄フィルタにおいて、帯電繊維からなる平板状不織布と波板状不織布とを耐水性を有する接着剤を用いて積層してハニカム状に形成されたハニカム集塵フィルタと、
このハニカム集塵フィルタにホットメルトタイプ接着剤を用いて結合された、少なくともプロアントシアニジンおよびクロロゲン酸を含むポリフェノールを担持した剛性のある樹脂製ネットからなることを特徴とする。
【０００７】
本発明の請求項２記載の空気清浄フィルタは、請求項１記載の空気清浄フィルタにおいて、ポリフェノールが、リンゴの未熟果から取られたポリフェノールであることを特徴とする。
【０００８】
本発明の請求項３は、吸気口より吸入した空気に所定の処理を施し排気口より排出する空気処理装置であって、吸気口と排気口を繋ぐ空気通路に請求項１あるいは請求項２記載の空気清浄フィルタが設置されたことを特徴とする空気処理装置に関する。
【０００９】
【発明の実施の形態】
〔第１の実施形態〕
本発明の第１の実施形態を図１と図２に基づいて詳細に説明する。
図１と図２に示した第１の実施形態の空気清浄フィルタ１０は、帯電繊維（例えば、ポリエチレン、ポリプロピレンなどのポリオレフィン系樹脂製帯電繊維）からなる平板状不織布１と同帯電繊維からなる波板状不織布２とを耐水性を有する接着剤３（例えば、公知の変性ビニル共重合体のエマルジョン）を用いて積層してハニカム状に形成されたハニカム集塵フィルタ４の背後に、ポリフェノール５を付着・接着・塗布・含浸するなどして担持した剛性のある樹脂製ネット６を公知のホットメルトタイプ接着剤７（例えば、ポリ酢酸ビニル、ポリビニルブチラール、アクリル樹脂、ポリイソプレンポリアミド、エチレン−酢酸ビニル共重合体、エチレン−アクリル酸エステル共重合体などの熱可塑性樹脂、テルペン樹脂、ロジン誘導体、ゴムなどの天然樹脂などで構成されるホットメルトタイプ接着剤）を用いて結合して形成したものである。なおハニカム集塵フィルタ４は通常５〜１０ｍｍ程度の厚さに形成され、剛性のある樹脂製ネット６は、通常０．５〜５ｍｍ程度の厚さに形成される。
【００１０】
樹脂製ネット６に担持させるポリフェノール５には、メチルメルカブタン（口臭の原因）やトリメチルアミン（魚臭成分）などに対する消臭作用がある。そして、このポリフェノール５として、例えば強い抗酸化作用があって心臓疾患や胃潰瘍、さらには癌の発生を抑制することも明らかになってきたプロアントシアニジンを約５０％、活性酸素の抑制と発癌性物質（ニトロソアミン）の生成阻止作用があるクロロゲン酸を約３０％、糖尿病の症状軽減作用があるフロリジンを約１０％、過酸化脂質の発生抑制作用と血中のコレステロールや中性脂肪の除去作用があるエピカテキンを約１０％、および動脈硬化、老化防止、発ガン防止作用を備えると共に、抗生物質に匹敵する強い殺菌作用を持つカテキンを約５％含むような、リンゴの未熟果から抽出作成した抗菌性の強い天然のポリフェノール（例えば、ニッカウヰスキー（株）製のアップルフェノン）が使用される。
【００１１】
〔第２の実施形態〕
ポリフェノール５を担持した樹脂製ネット６は、前記図１および図２に示したようにハニカム集塵フィルタ４の背後に積層する他、図３に示したようにハニカム集塵フィルタ４の前方に配置してもよい。
【００１２】
〔第３の実施形態〕
また、図４に示したようにハニカム集塵フィルタ４の前面と背後に積層してもよい。
【００１３】
〔第４の実施形態〕
また、図５に示したように樹脂製ネット６をハニカム集塵フィルタ４でサンドイッチ積層してもよい。
図３〜５において図１〜２に示した空気清浄フィルタと同じ構成部分には同一参照符号を付すことにより、重複した説明を省略する。
【００１４】
図６に示す空気処理装置１００などの空気の通路に、前記第１の実施形態の空気清浄フィルタ１０が設置されると、送風機２０によって吸い込み排気される空気２１は、先ずハニカム集塵フィルタ４を通過し、空気２１に含まれている塵埃と油脂（蒸気）の内の比較的大きな物がここで取り除かれるとともに、平板状不織布１および波板状不織布２は帯電繊維から作られているので、帯電し易い微細な塵埃はクーロン力によってハニカム集塵フィルタ４に引き付けられ、確実に取り除かれる。
【００１５】
そして、ハニカム集塵フィルタ４などに引っかかって取り除かれた塵埃や油脂に細菌が付着しても、樹脂製ネット６に担持されているポリフェノール５の抗菌作用によって細菌の繁殖が抑えられ、室内に吹き出す空気２１の細菌汚染が防止される。
【００１６】
また、ポリフェノール５は消臭作用を備えているので、空気の無臭化が図られる。
【００１７】
そして、空気清浄フィルタ１０は、帯電繊維からなる平板状不織布１と帯電繊維からなる波板状不織布２とを耐水性を有する接着剤３を用いて積層したハニカム集塵フィルタ４の背後に、剛性のある樹脂製ネット６をホットメルトタイプ接着剤７を用いて積層して形成してあるので、耐水性、剛性および強度が高い。
したがって、空気清浄フィルタ１０は取り扱い易く、特に水洗中に平板状不織布１と波板状不織布２とが剥離したり、ハニカム集塵フィルタ４と樹脂製ネット６とが剥離したりせず、また全体的に変形したりせず、破壊などが生じない。
【００１８】
前記第２の実施形態の空気清浄フィルタ１０では、空気２１が最初に通過する部分に、ポリフェノール５を担持した樹脂製ネット６が配置されているので、この部分で空気の消臭が図られると共に、ハニカム集塵フィルタ４によって取り除かれた塵埃や油脂に細菌が付着しても、ポリフェノール５の抗菌作用によって細菌が増殖することが防止される。
【００１９】
また、前記第３の実施形態の空気清浄フィルタ１０では、空気清浄フィルタ１０の前後２個所で細菌の増殖が抑えられると共に、空気の消臭が図られると云った利点がある。
【００２０】
また、前記第４の実施形態の空気清浄フィルタ１０では、樹脂製ネット６をハニカム集塵フィルタ４でサンドイッチ積層してあるので、２つのハニカム集塵フィルタ４による塵埃や油脂などの除去効果が高い上、ポリフェノール５を担持した樹脂製ネット６が配置されているので、この部分で空気の消臭が図られると共に、２つのハニカム集塵フィルタ４によって取り除かれた塵埃や油脂に細菌が付着しても、ポリフェノール５の抗菌作用によって細菌が増殖することが防止される。
【００２１】
また、何れの空気清浄フィルタ１０においても、耐水性、剛性および強度が高く、取り扱い易く、水洗中に平板状不織布１と波板状不織布２とが剥離したり、ハニカム集塵フィルタ４と樹脂製ネット６とが剥離したり、変形したりせず、破壊などが生じない。
【００２２】
なお、本発明は上記実施形態に限定されるものではないので、特許請求の範囲に記載の趣旨から逸脱しない範囲で各種の変形実施が可能である。
【００２３】
例えば、本発明の空気清浄フィルタは、さらに公知の脱臭フィルタを積層する構成とすることもできる。
【００２４】
また、本発明の空気処理装置としては、前記構成の空気清浄フィルタが吸気口と排気口とを繋ぐ空気通路に設置されたエアコンや温風ヒータなどであっても良い。
【００２５】
【発明の効果】
以上説明したように、本発明の空気清浄フィルタは、帯電繊維からなる平板状不織布と帯電繊維からなる波板状不織布とを耐水性を有する接着剤を用いて積層したハニカム集塵フィルタの背後に、剛性のある樹脂製ネットをホットメルトタイプ接着剤を用いて結合して形成してあるので耐水性、剛性および強度が高く、したがって、取り扱い易く、特に水洗中に平板状不織布と波板状不織布とが剥離したり、ハニカム集塵フィルタと樹脂製ネットとが剥離したり、変形したりせず破壊などが生じないので、再使用に供することができるという顕著な効果を奏する。
また、本発明の空気清浄フィルタは、空気に含まれる塵埃や油脂が確実に除去できると共に、除去した塵埃や油脂で細菌が増殖するのが防止できるので、空気の細菌汚染を防止することができる。また、空気の消臭が図られる。
【００２６】
特に、リンゴの未熟果を元にして作ったポリフェノールを使用する請求項２の発明によれば、使用者の自然嗜好を満足することができる。
【図面の簡単な説明】
【図１】第１の実施形態を示す説明図である。
【図２】第１の実施形態を断面で示す説明図である。
【図３】第２の実施形態を断面で示す説明図である。
【図４】第３の実施形態を断面で示す説明図である。
【図５】第４の実施形態を断面で示す説明図である。
【図６】空気処理装置の構成を示す説明図である。
【図７】従来技術のフィルタの要部を示す説明図である。
【符号の説明】
１  平板状不織布
２  波板状不織布
３  耐水性を有する接着剤
４  ハニカム集塵フィルタ
５  ポリフェノール
６  剛性のある樹脂製ネット
７  ホットメルトタイプ接着剤
１０  空気清浄フィルタ
２０  送風機
２１  空気
１００  空気処理装置
【図１】
0004428841.tif 000002
【図２】
0004428841.tif 000003
【図３】
0004428841.tif 000004
【図４】
0004428841.tif 000005
【図５】
0004428841.tif 000006
【図６】
0004428841.tif 000007
【図７】
0004428841.tif 000008